(57)【特許請求の範囲】
【請求項１】
ハウジング内に設けたクラッチを、前記ハウジングの外部から切替レバーによってスライド操作することで、少なくとも２つの動作モードを選択可能で、前記切替レバーを、前記ハウジングへ回転可能に保持されて前記クラッチに係合する回転部と、前記ハウジングの外側で前記回転部にその回転中心から放射方向へ連設されるつまみ部と、そのつまみ部に設けた有底孔内へ出没可能且つ前記有底孔の底面との間に設けたコイルバネによって前記つまみ部からの突出方向へ付勢されて収納され、前記ハウジングの外面に設けたガイド溝に係止するロックボタンとで形成したハンマードリルであって、
前記つまみ部に、前記有底孔を前記つまみ部の外部と連通させて前記つまみ部内に侵入した粉塵を排出可能な横断面四角形状の連通孔を、前記ロックボタンの出没方向に沿って且つ前記コイルバネを挟んで一対設けると共に、各前記連通孔を、前記有底孔との連通側が前記つまみ部の外部との連通側よりも開口が幅方向に大きくなるテーパ形状としたことを特徴とするハンマードリル。
【請求項２】
前記ガイド溝に、前記動作モードの切替位置で前記ロックボタンの係止部が前記突出方向で係止する複数の係止凹部を連設して、前記係止部と各係止凹部とを、前記突出方向へ向けて先細りとなるテーパ形状としたことを特徴とする請求項１に記載のハンマードリル。
【発明の詳細な説明】
【技術分野】
【０００１】
本発明は、少なくとも２つの動作モードを選択可能としたハンマードリルに関する。
【背景技術】
【０００２】
ハンマードリルは、ハウジングに内設した回転機構と打撃機構との間に、両機構に対して選択的に連係可能なクラッチを備え、ハウジングの外部からクラッチのスライド位置を切り替えることで、ハウジングの先端に保持したビットを回転動作のみさせるドリルモードや、回転動作に加えてビットに打撃を伝達するハンマードリルモードや、ビットに打撃のみを伝達するハンマーモード等の複数の動作モードが選択可能となっている。
このクラッチのスライド位置の切り替えには、切替レバーが用いられる。この切替レバーは、例えば特許文献１に開示の如く、ハウジングへ回転可能に保持されてクラッチに係合する回転部と、ハウジングの外側で回転部にその回転中心から放射方向へ連設されるつまみ部と、そのつまみ部に設けた有底孔内へ出没可能且つつまみ部からの突出方向へ付勢されて収納され、ハウジングの外面に設けたガイド溝に係止するロックボタンとからなるものが知られている。ガイド溝には、動作モードに対応するつまみ部の切替位置でロックボタンがさらに突出して係止する係止凹部が連設されている。
よって、動作モードを切り替える際には、ロックボタンをつまみ部内に押し込んで当該位置での係止凹部との係止を解除し、そのままつまみ部を所望の動作モードに対応する切替位置へ回転操作することになる。対応する切替位置では、再びロックボタンが突出して係止凹部に係止して当該動作モードが維持される。
【先行技術文献】
【特許文献】
【０００３】
【特許文献１】特開２００４−１６７６３８号公報
【発明の概要】
【発明が解決しようとする課題】
【０００４】
しかし、上記従来の切替機構においては、ロックボタンをつまみ部に収納して出没させる構造上、ロックボタンとつまみ部との間から有底孔内に粉塵が侵入することがある。この粉塵が有底孔内に溜まると、ロックボタンの摺動性が悪くなり、ロックボタンを押し込みにくくなったり、係止凹部の位置でロックボタンが完全に突出しなかったりする不具合が生じるおそれがある。
【０００５】
そこで、本発明は、つまみ部内に粉塵が侵入することがあっても、ロックボタンの摺動性を維持できて使い勝手を損なうことがないハンマードリルを提供することを目的としたものである。
【課題を解決するための手段】
【０００６】
上記目的を達成するために、請求項１に記載の発明は、つまみ部に、コイルバネで突出付勢されるロックボタンを収容する有底孔をつまみ部の外部と連通させてつまみ部内に侵入した粉塵を排出可能な横断面四角形状の連通孔を、ロックボタンの出没方向に沿って且つコイルバネを挟んで一対設けると共に、各連通孔を、有底孔との連通側がつまみ部の外部との連通側よりも開口が幅方向に大きくなるテーパ形状としたことを特徴とするものである。
請求項２に記載の発明は、請求項１の構成において、ガイド溝に、動作モードの切替位置でロックボタンの係止部が突出方向で係止する複数の係止凹部を連設して、係止部と各係止凹部とを、突出方向へ向けて先細りとなるテーパ形状としたことを特徴とするものである。
【発明の効果】
【０００７】
請求項１に記載の発明によれば、切替レバーのつまみ部に、侵入した粉塵を排出可能な連通孔を設けたことで、ロックボタンとつまみ部との間からつまみ部内に粉塵が侵入することがあっても、ロックボタンの摺動性を維持できて使い勝手に優れたものとなる。
また、つまみ部内に侵入した粉塵がロックボタンの押し込み動作によって連通孔側へ導かれることとなり、連通孔による粉塵の排出効果をより高めることができる。
さらに、連通孔を一対設けたことで、粉塵をむらなく且つ効率良く排出可能となる。
そして、連通孔は有底孔側の開口が広いため、粉塵は連通孔へ導かれやすくなり、有底孔内への貯留が効果的に抑制される。
請求項２に記載の発明によれば、請求項１の効果に加えて、動作モードの切替位置でのロックボタンのがたつきが抑えられ、つまみ部を確実に位置決めすることができる。
【図面の簡単な説明】
【０００８】
【図１】ハンマードリルの側面図である。
【図２】図１のＡ−Ａ線断面図である。
【図３】図２のＢ−Ｂ線断面図である。
【発明を実施するための形態】
【０００９】
以下、本発明の実施の形態を図面に基づいて説明する。
図１は、ハンマードリルの一例を示す全体図、図２はそのＡ−Ａ線断面図で、ハンマードリル１は、図示しないモータを収容したハウジング２の前方（図１の左側）に、ビットを着脱するチャック４を備えたツールホルダ３を突出し、ハウジング２内に、ツールホルダ３への回転機構とビットへの打撃機構とを内設した周知の構成である。５は、ハウジング２の後方に形成されてスイッチレバー６を有するハンドル、７は、ハンドル５の下部に装着されて電源となるバッテリーパックである。
【００１０】
回転機構は、ツールホルダ３の下方へ平行に配設されてモータから回転伝達される中間軸８に、ツールホルダ３に設けたギヤと噛合するギヤを回転可能に外装した構造となっている。また、打撃機構は、ギヤの後方で中間軸８に外装したボススリーブに、スワッシュベアリングを介してアームを連結し、そのアームをツールホルダ３に内挿されるピストンシリンダ９に連結している。ピストンシリンダ９の内部には、空気室を介してストライカが前後移動可能に外装されており、その前方に設けたインパクトボルトを打撃可能としている。これらの回転機構及び打撃機構も周知である。
【００１１】
さらに、中間軸８において、ギヤとボススリーブとの間には、両端にギヤ及びスリーブとの係止爪を備えたクラッチ１０が、中間軸８に沿ってスライド可能に外装されている。このクラッチ１０のスライド位置の選択により、各動作モードが選択可能となる。すなわち、クラッチ１０がギヤのみと係合する前進位置、ボススリーブのみと係合する後退位置、ギヤ及びボススリーブと同時に係合する中間位置の何れかを選択することで、ギヤを介してツールホルダ３が回転してビットを回転させるドリルモード、アームの揺動によってピストンシリンダ９を往復動させ、連動するストライカによってインパクトボルトを介してビットを打撃するハンマーモード、ツールホルダ３の回転とインパクトボルトの打撃とを同時に行うハンマードリルモードの選択が可能となる。
【００１２】
このクラッチ１０のスライド位置は、ハウジング２に設けた切替レバー１１によって選択できる。切替レバー１１は、ハウジング２へ回転可能に嵌着される回転部１２と、その回転部１２の外側（ハウジング２の外側）でその回転中心から放射方向へ連設されるつまみ部１３とを有し、回転部１２には、ハウジング２の内側へコイルバネ１５によって突出付勢されてクラッチ１０に係合する係合ピン１４が、回転中心からの偏心位置に設けられている。すなわち、回転部１２の回転に伴う係合ピン１４の偏心運動でクラッチ１０を左右にスライドさせるものである。
【００１３】
一方、つまみ部１３には、一端を開口させた有底孔１６が形成されて、この有底孔１６内にロックボタン１７が設けられている。このロックボタン１７は、図３にも示すように、有底孔１６に嵌合して有底孔１６に沿ってスライド可能に設けられると共に、ロックボタン１７と有底孔１６の底面との間に設けたコイルバネ１８により、つまみ部１３からの突出方向へ付勢されている。
【００１４】
但し、ロックボタン１７におけるハウジング２側の外面には、ハウジング２の外面で回転部１２を中心に形成された円弧状のガイド溝２０に係止する係止部１９が突設されて、ロックボタン１７の突出位置を規制している。また、ガイド溝２０の外周側（ロックボタン１７の突出方向側）には、各動作モードの切替位置で係止部１９が係止してつまみ部１３の回転を規制する３つの係止凹部２１〜２３が、それぞれガイド溝２０から連続状に突出形成されている。ここでは係止凹部２１がドリルモードの切替位置、係止凹部２２がハンマードリルモードの切替位置、係止凹部２３がハンマーモードの切替位置となっている。
【００１５】
なお、ハンマーモードでは、ハウジング２内に設けたロック部材２４が中間軸８上のギヤに係合して当該ギヤの回転を規制することで、ツールホルダ３及びビットの回転はロックされるが、ハンマーモードとハンマードリルモードとの間の切替位置では、回転部１２に設けた図示しない押圧部がロック部材２４をギヤから離間させることで、ツールホルダ３及びビットの回転がフリーとなるニュートラルモードとなる。
【００１６】
ここで、各係止凹部２１〜２３は、ガイド溝２０との連続側から突出側へ行くに従って左右幅が徐々に狭くなるテーパ形状となっており、これに係止する係止部１９も、係止凹部２１〜２３に合わせて突出方向へ行くに従って左右幅が徐々に狭くなるテーパ形状となっている。
そして、つまみ部１３において、有底孔１６の底面側の側面には、有底孔１６をつまみ部１３の外部と連通させる連通孔としての一対のスリット２５，２５が貫通形成されている。このスリット２５は、横断面が細長四角形状で、コイルバネ１８を挟んだ左右両側でロックボタン１７の出没方向と平行に形成されるが、有底孔１６との連通側がつまみ部１３の外部との連通側よりも開口が幅方向に大きくなるテーパ形状となっている。
【００１７】
以上の如く構成されたハンマードリル１においては、例えば図３に示すハンマードリルモードから他の動作モードを選択する際には、ロックボタン１７をコイルバネ１８の付勢に抗して有底孔１６内へ押し込めば、係止部１９が係止凹部２２から離間してガイド溝２０に沿って回転が許容される。よって、そのままつまみ部１３を係止凹部２１又は２３の位置へ回転させることができる。係止凹部２１又は２３の位置に達すると、ロックボタン１７がコイルバネ１８の付勢によって突出し、係止部１９が係止凹部２１又は２３に係止するため、当該動作モードが維持される。
このとき、係止部１９と係止凹部２１又は２３とは、左右がテーパ形状同士の嵌合となるため、ロックボタン１７の突出付勢と相俟ってロックボタン１７が回転方向にがたつくことがなく、つまみ部１３の確実な保持が可能となる。
【００１８】
そして、作業中に生じた粉塵がつまみ部１３とロックボタン１７との隙間から有底孔１６内に侵入することがあっても、つまみ部１３には有底孔１６の底部を外部と連通させるスリット２５，２５が設けられているため、例えばロックボタン１７を押し込む動作に応じて粉塵がスリット２５，２５を介してつまみ部１３の外部へ排出される。よって、粉塵が有底孔１６内に貯留しにくくなり、ロックボタン１７が押し込みにくくなったり、係止凹部２１〜２３の位置でロックボタン１７が完全に突出しなかったりする不具合が生じない。特に、スリット２５は有底孔１６側の開口が広いため、粉塵はスリット２５へ導かれやすくなり、有底孔１６内への貯留が効果的に抑制される。
【００１９】
このように、上記形態のハンマードリル１によれば、つまみ部１３に、有底孔１６をつまみ部１３の外部と連通させてつまみ部１３内に侵入した粉塵を排出可能なスリット２５，２５を設けたことで、ロックボタン１７と切替レバー１１のつまみ部１３との間からつまみ部１３内に粉塵が侵入することがあっても、ロックボタン１７の摺動性を維持できて使い勝手に優れたものとなる。
特にここでは、スリット２５，２５を、ロックボタン１７の出没方向に沿って形成しているので、つまみ部１３内に侵入した粉塵がロックボタン１７の押し込み動作によってスリット２５，２５側へ導かれることとなり、スリット２５による粉塵の排出効果をより高めることができる。
【００２０】
また、スリット２５，２５を一対形成したことで、粉塵をむらなく且つ効率良く排出可能となる。
さらに、ガイド溝２０に、動作モードの切替位置でロックボタン１７の係止部１９が突出方向で係止する複数の係止凹部２１〜２３を連設して、係止部１９と各係止凹部２１〜２３とを、突出方向へ向けて先細りとなるテーパ形状としたことで、動作モードの切替位置でのロックボタン１７のがたつきが抑えられ、つまみ部１３を確実に位置決めすることができる。
【００２１】
なお、連通孔は、一対のものに限らず、３つ以上であってもよいし、逆に１つであってもよい。また、テーパ形状とせずに有底孔側と外部側との開口を同じ大きさとしても差し支えない。
さらに、連通孔は、横断面が細長四角形状となるスリットに限らず、例えば横断面円形や長円形、正方形とする等、適宜変更可能である。
加えて、連通孔を設ける位置も、つまみ部における有底孔の底面側の側面に限らず、ロックボタンの出没方向と直交する側面とすることもできるし、複数の側面に設けることもできる。
【００２２】
一方、ロックボタンの係止部及び係止凹部のテーパ形状は必須ではないし、動作モードも、上記形態のようなニュートラルモードを含めた４つの動作モードを選択可能としたものに限らない。例えば、ニュートラルモードのない３つの動作モード等、少なくとも２つの動作モードを選択可能なハンマードリルであれば、本発明は適用可能である。勿論回転機構や打撃機構も上記形態に限定されない。
【符号の説明】
【００２３】
１・・ハンマードリル、２・・ハウジング、３・・ツールホルダ、８・・中間軸、１０・・クラッチ、１１・・切替レバー、１２・・回転部、１３・・つまみ部、１４・・係合ピン、１５，１８・・コイルバネ、１６・・有底孔、１７・・ロックボタン、１９・・係止部、２０・・ガイド溝、２１〜２３・・係止凹部、２５・・スリット。
【図１】
0005759342.tif 000002
【図２】
0005759342.tif 000003
【図３】
0005759342.tif 000004